(57)【特許請求の範囲】
【請求項１】
構造物の開口部を開閉する引戸の前面に突出した状態で設けられた枠体と、この枠体内に一端がフリー状態で収容される弾性部材と、この弾性部材のフリー端部に取り付けられたスライド部材と、戸枠に取り付けられ引戸の移動範囲の所定の範囲で上記スライド部材に上記引戸の前方において係脱する受け部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが再係合することにより上記弾性部材の付勢力が解放されてスライドアシスト力として引戸に付与されるスライドアシスト装置であって、
上記受け部材は、上記戸枠に引戸のスライド方向に沿って設けられ、当該引戸の前面に係合して上記引戸の厚み方向の移動を規制する規制プレートと、この規制プレートと一体的に設けられ上記引戸の移動に伴ってスライド部材に対して係脱する受け部とを備え、
上記規制プレートにおける引戸側の面が長手方向の所定位置から上記引戸の反アシスト方向に向けて内側に傾斜するテーパー面として形成されていることを特徴とするスライドアシスト装置。
【請求項２】
上記規制プレートにおける上記テーパー面の上記アシスト方向の端縁は、上記規制プレートの長手方向について、上記受け部に対して反アシスト方向に位置することを特徴とする請求項１記載のスライドアシスト装置。
【請求項３】
引戸の前面に突出した状態で設けられた枠体と、この枠体内に一端がフリー状態で収容される弾性部材と、この弾性部材のフリー端部に取り付けられ上記引戸のスライド移動に伴い弾性部材が伸縮することにより付勢力を蓄積または解放可能なスライド部材とを備えるアシスト装置本体の上記スライド部材に対して、上記引戸の前方において係脱することにより、上記付勢力を引戸のスライドアシスト力として所定の範囲で上記引戸に付与するスライドアシスト装置用受け部材であって、
戸枠に上記引戸のスライド方向に沿って設けられ、当該引戸の前面に係合して上記引戸の厚み方向の移動を規制する規制プレートと、この規制プレートと一体的に設けられ上記引戸の移動に伴ってスライド部材に対して係脱する受け部とを備え、
上記規制プレートにおける引戸側の面が長手方向の所定位置から上記引戸の反アシスト方向に向けて内側に傾斜するテーパー面として形成されていることを特徴とするスライドアシスト装置用受け部材。
【発明の詳細な説明】
【技術分野】
【０００１】
本発明は、戸枠内で左右にスライドして構造物の開口部を開閉する引戸に対し、開閉方向の少なくともいずれか一方向のスライドアシスト力を付与する引戸のスライドアシスト装置およびその受け部材に関するものである。
【背景技術】
【０００２】
従来、特許文献１に記載されているようなドアクローザー（スライドアシスト装置）が知られている。このドアクローザーは、引戸を対象として設けられ、一旦開放された当該引戸を閉じるときに伸長状態とされた引きバネの付勢力で閉動作をアシストするように構成されている。
【０００３】
具体的には、このドアクローザーは、引戸の上端側に付設された本体ボディと、この本体ボディ内に一端がフリー状態で収容される引きバネと、この引きバネのフリー端部に取り付けられ上方に突設されたキャッチ体（スライド部材）と、戸枠に下方に突出する態様で設けられたフック体（受け部材）とを備え、引戸開動作に伴いキャッチ体とフック体とが上下に係合して引きバネを所定量延伸した時点でフック体とキャッチ体との係合状態が解除されるとともに、このキャッチ体が本体ボディに停止保持され、引戸閉動作に伴いキャッチ体とフック体とが再係合してキャッチ体の停止保持状態が解除され引きバネの付勢力で引戸の閉方向のスライドをアシストするように構成されている。
【先行技術文献】
【特許文献】
【０００４】
【特許文献１】特開２００８−１５６８５１号公報
【発明の概要】
【発明が解決しようとする課題】
【０００５】
ところで、上記従来のスライドアシスト装置によれば、本体ボディが引戸の上端部に埋め込まれて使用されるものであるため、同装置を後付けする場合の取付作業が大掛かりとなり、簡易に取り付けることができなかった。
【０００６】
この場合に、スライドアシスト装置のボディ本体を引戸の前面に取り付けるとともに、このボディ本体にスライド可能に収容されるスライド部材を前方に突出させ、またこのスライド部材に応じて受け部材を配置し、スライド部材と受け部材とを横方向に、すなわち引戸の前方側で係脱させることにより、簡易な後付けを担保することも考えられる。
【０００７】
しかしながら、引戸には通常その厚み方向、すなわちスライド方向に直交する水平方向について遊びやガタがあるため、引戸の軌道が厚み方向について安定していない。このため、上記のようにボディ本体を引戸の前面に突設して引戸の前方側でスライド部材と受け部材とを引戸の厚み方向に係脱させるように構成した場合には、引戸のスライド移動に伴って、例えばスライド部材と受け部材とが適正に係合せず、また逆にボディ本体と受け部材とが干渉し、場合によっては受け部材が破損するなど、適正に引戸にアシスト力を付与することができないという問題が懸念される。
【０００８】
本発明は、上記従来の問題点に鑑みてなされたものであり、簡易な後付けを担保しつつ、適正に引戸のスライドをアシストできるアシスト装置およびその受け部材を提供することを目的としている。
【課題を解決するための手段】
【０００９】
上記課題を解決するために、この発明に係るスライドアシスト装置は、構造物の開口部を開閉する引戸の前面に突出した状態で設けられた枠体と、この枠体内に一端がフリー状態で収容される弾性部材と、この弾性部材のフリー端部に取り付けられたスライド部材と、戸枠に取り付けられ引戸の移動範囲の所定の範囲で上記スライド部材に上記引戸の前方において係脱する受け部材とを備え、上記引戸の一方向へのスライド時に上記スライド部材と受け部材とが係合して上記弾性部材を伸長させることにより上記スライド部材に当該弾性部材の付勢力を蓄積させ、このスライド部材が所定の保持位置に到達したときに上記スライド部材と受け部材との係合が解除されて上記スライド部材が当該保持位置に保持され、反対方向のスライド時に上記スライド部材と受け部材とが上記保持位置で再係合することにより上記弾性部材の付勢力が解放されてスライドアシスト力として引戸に付与されるスライドアシスト装置であって、上記受け部材は、上記戸枠に引戸のスライド方向に沿って設けられ、当該引戸の前面に係合して上記引戸の厚み方向の移動を規制する規制プレートと、この規制プレートと一体的に設けられ上記引戸の移動に伴ってスライド部材に対して係脱する受け部とを備え、上記規制プレートにおける引戸側の面が長手方向の所定位置から上記引戸の反アシスト方向に向けて内側に傾斜するテーパー面として形成されていることを特徴とするものである。
【００１０】
また、この発明に係るアシスト装置用受け部材は、引戸の前面に突出した状態で設けられた枠体と、この枠体内に一端がフリー状態で収容される弾性部材と、この弾性部材のフリー端部に取り付けられ上記引戸のスライド移動に伴い弾性部材が伸縮することにより付勢力を蓄積または解放可能なスライド部材とを備えるアシスト装置本体の上記スライド部材に対して、上記引戸の前方において係脱することにより、上記付勢力を引戸のスライドアシスト力として所定の範囲で上記引戸に付与するスライドアシスト装置用受け部材であって、戸枠に上記引戸のスライド方向に沿って設けられ、当該引戸の前面に係合して上記引戸の厚み方向の移動を規制する規制プレートと、この規制プレートと一体的に設けられ上記引戸の移動に伴ってスライド部材に対して係脱する受け部とを備え、上記規制プレートにおける引戸側の面が長手方向の所定位置から上記引戸の反アシスト方向に向けて内側に傾斜するテーパー面として形成されていることを特徴とするものである。
【００１１】
これらの発明によれば、枠体が引戸の前面に突出した状態で設けられるため、スライドアシスト装置を後付けする場合であっても戸首の除去等を必要とせず、同装置を簡易に取り付けることができる。
【００１２】
また、受け部材は、上記戸枠に引戸のスライド方向に沿って設けられ、当該引戸の前面に係合して上記引戸の厚み方向の移動を規制する規制プレートと、この規制プレートと一体的に設けられ上記引戸の移動に伴ってスライド部材に対して係脱する受け部とを備えるので、この規制プレートによって引戸、ひいてはこの引戸に突設されている枠体の厚み方向の遊びやガタの範囲を規制することができる。しかも、この規制プレートと受け部とが一体的に設けられるので、規制プレートと受け部との位置関係を一定に保ち、ひいてはスライド部材と受け部材との相対的位置関係を一定の範囲に収めることができる。このため、スライド部材と受け部材の確実な係合を担保することができるとともに、枠体と受け部との干渉を確実に回避することができ、これにより適正に引戸のスライドをアシストできる。
【００１３】
ここで、上記のように規制プレートによって引戸の厚み方向の移動を規制するようにした場合、引戸の軌道によっては引戸のスライドに伴って規制プレートと引戸との衝突が懸念されるが、本発明によれば、上記規制プレートにおける引戸側の面が長手方向の所定位置から上記引戸の反アシスト方向に向けて内側に傾斜するテーパー面として形成されているので、引戸をこのテーパー面に沿って軌道修正することができ、これにより規制プレートと引戸との衝突を確実に防止することができる。
【００１４】
このスライドアシスト装置に係る発明において、上記規制プレートにおける上記テーパー面のアシスト方向の端縁の位置を特に限定するものではないが、例えば、上記規制プレートにおける上記テーパー面の上記アシスト方向の端縁は、上記規制プレートの長手方向について、上記受け部に対して反アシスト方向に位置するのが好ましい。
【００１５】
このように構成すれば、枠体が引戸に対してそのスライド方向先端面同士を面一にする態様で配置された場合でも、確実に枠体と受け部との干渉を防止することができる。
【発明の効果】
【００１６】
本発明に係るスライドアシスト装置およびその受け部材によれば、スライドアシスト装置の簡易な後付けを担保しつつ、引戸、ひいてはこの引戸に設けられた枠体の厚み方向の遊びやガタの範囲を規制することができる。しかも、スライド部材と受け部材とを確実に係合させることができるとともに、枠体と受け部との干渉を確実に回避することができる。さらに、引戸を規制プレートのテーパー面に沿って軌道修正することができ、これにより規制プレートと引戸との衝突を有効に防止することもできる。これにより、適正に引戸のスライドをアシストできる。
【図面の簡単な説明】
【００１７】
【図１】本発明に係るスライドアシスト装置を一部切り欠いた状態で示す斜視図である。
【図２】同装置の正面図である。
【図３】同装置の底面図である。
【図４】同装置の側面図である。
【図５】同装置のアシスト装置本体を初期位置で示す斜視図である。
【図６】同装置のアシスト装置本体を待機位置で示す斜視図である。
【図７】同装置の受け部材を示す斜視図である。
【図８】同装置の受け部材を示す背面図である。
【図９】引戸の開放操作時における同装置の作用を説明するための概念図であり、（Ａ）は引戸閉止状態におけるスライド部材と受け突部との関係を示し、（Ｂ）はスライド部材が所定の保持位置において回動掛合片が解除姿勢に姿勢変更した状態を示している。
【図１０】引戸の閉止操作時における同装置の作用を説明するための概念図であり、（Ａ）は、一旦開放された引戸を閉止操作することにより、引掛け部材の三角ブロックの前方右縁部がトリガーの係合条に係合した状態、（Ｂ）は、舌片が角孔から抜け出して解除姿勢から係合姿勢へ姿勢変化した状態をそれぞれ示している。
【図１１】本発明に係るスライドアシスト装置の他の実施形態を示す断面図である。
【発明を実施するための形態】
【００１８】
以下、本発明に係る一実施形態を図面に基づいて説明する。なお、本実施形態のスライドアシスト装置は、戸車付きの非吊下式の引戸に適用したものであるが、本発明のスライドアシスト装置は戸車なしの非吊下式引戸や、吊下式引戸等、その他の引戸にも適用することができる。また、本実施形態のスライドアシスト装置は、引戸に対し閉止方向についてスライドアシスト力を付与するものとなされているが、開放方向についてアシスト力を付与するものであってもよい。もちろん、開閉各方向についてスライドアシスト力を付与するスライドアシスト装置を引戸にともに設けるものであってもよい。
【００１９】
図１は本実施形態のスライドアシスト装置の全体を一部切り欠いた状態で示す斜視図であり、図２は同装置の正面図である。また、図３は同装置の底面図であり、図４は同装置の側面図である。なお、以下、便宜上、各図における＋Ｘ方向を右方向、＋Ｙ方向を後方向、＋Ｚ方向を上方向として説明するが、これらの方向の表現については特に限定されるものではなく、単に本実施形態の装置内における相対的な位置関係を表したものである。
【００２０】
スライドアシスト装置１は、引戸Ｄの前面（正面）に取り付けられたアシスト装置本体３と、戸枠Ｆに取り付けられた受け部材５とを備える。
【００２１】
ここで、このスライドアシスト装置１が取り付けられる引戸Ｄの構造について簡単に説明する。引戸構造は、構造物の開口部Ｗを開閉する引戸Ｄと、この引戸Ｄの戸首Ｄ１が遊嵌される鴨居Ｆ１および引戸Ｄの下端部が嵌め込まれる敷居Ｆ２を含む戸枠Ｆとを備える。引戸Ｄは、戸本体Ｄ２と、戸本体Ｄ２の上部に設けられた戸首Ｄ１と、戸本体Ｄ２の下縁部に取り付けられた左右一対の戸車Ｄ３とを備える。一方、戸枠Ｆの鴨居Ｆ１および敷居Ｆ２のそれぞれには、引戸Ｄが嵌め込まれる案内溝Ｆ３，Ｆ４を有し、この案内溝Ｆ３，Ｆ４に沿って引戸Ｄが開閉される。これらの案内溝Ｆ３，Ｆ４は、引戸Ｄの戸首Ｄ１や引戸Ｄの下端部の厚み寸法よりも若干大きく形成されており、引戸Ｄの厚み方向に対して遊びをもたせている。
【００２２】
スライドアシスト装置１に戻って、このスライドアシスト装置１は、アシスト装置本体３と受け部材５とが協働して付勢力を蓄積または開放可能に構成され、この開放された付勢力をスライドアシスト力として引戸Ｄに対して付与されるようになっている。
【００２３】
アシスト装置本体３は、図５および図６に示すように、引戸Ｄに取り付けられた枠体３１と、この枠体３１内に一端がフリー状態で収容される引きバネ３２（弾性体に相当）と、枠体３１内に一端がフリー状態でかつ引きバネ３２と並列に収容されたダンパー部材３３と、この引きバネ３２およびダンパー部材３３のフリー端部に取り付けられたスライド部材３４とを備え、上記付勢力としての引きバネ３２の弾性力を蓄積または開放可能に構成された一般的なものである。従って、このアシスト装置本体３は、その具体的構成を特に限定するものではないが、以下に簡単に説明する。
【００２４】
図５および図６は、アシスト装置本体３を示す斜視図である。これらの図は、スライド部材３４が引戸Ｄの閉止位置に対応する初期位置にあるか、引戸Ｄの開放操作に伴ってスライド部材３４が所定の保持位置にあるかで異なる。
【００２５】
具体的には、アシスト装置本体（以下、単に「装置本体」という）３は、長手方向の各端部に第１および第２エッジブロック３１２，３１３が嵌め込まれた角筒状の枠体３１と、枠体３１内であって第２エッジブロック３１３に一端が固定された引きバネ３２と、枠体３１内でこの引きバネ３２と上下に並設されるとともに第２エッジブロック３１３に一端が固定されたダンパー部材３３と、この引きバネ３２およびダンパー部材３３の他端であるフリー端部に取り付けられ、枠体３１内をその長手方向に沿ってスライド可能なスライド部材３４とを備える。この装置本体３は、図２に示すように、引戸の上端部前面に、枠体３１の左端面が引戸Ｄの左側面と面一となる態様で取り付けられている。
【００２６】
枠体３１は、図５および図６において二点鎖線で示され、左右方向（引戸Ｄのスライド方向）に細長い角筒状の枠本体３１１と、この枠本体３１１の長手方向一端部（左端部）に嵌め込まれる第１エッジブロック３１２と、枠本体３１１の長手方向他端部（右端部）に嵌め込まれる第２エッジブロック３１３とを備え、各エッジブロック３１２，３１３のねじ孔３１２ａ，３１３ａを通してねじ（不図示）が引戸Ｄにねじ込まれることにより、引戸Ｄの上端部前面に取り付けられている。
【００２７】
枠本体３１１には、その前面壁に左右方向に延びるガイドスリット３１１ａと、このガイドスリット３１１ａに連設され、ガイドスリット３１１ａに対して拡幅された角形の回動孔３１１ｂとが設けられている。ガイドスリット３１１ａは、枠本体３１１の前面壁の左右方向の中央部より若干左方位置を始点にして左方へ延設されている。このガイドスリット３１１ａの上下幅は、スライド部材３４の後述する回動掛合片３４２における舌片３４２ｃの上下幅よりも狭く設定され、スライド部材３４の回動掛合片３４２が回動できないように構成されている。
【００２８】
一方、回動孔３１１ｂは、ガイドスリット３１１ａの左端部に連設されている。この回動孔３１１ｂは、ガイドスリット３１１ａよりも拡幅して構成され、回動掛合片３４２の舌片３４２ｃよりも幅広に構成されている。従って、この回動孔３１１ｂは、スライド部材３４がこの回動孔３１１ｂに至った場合にスライド部材３４の回動掛合片３４２がこの回動孔３１１ｂを通して回動可能に構成されている。
【００２９】
引きバネ３２は、第２エッジブロック３１３とスライド部材３４との間に介設され、スライド部材３４に付勢力を付与するためのものである。具体的には、引きバネ３２の一端部は第２エッジブロック３１３の左端部に係止されることにより枠体３１に固定され、フリー端部である他端部がスライド部材３４の右端部に係止され、これにより引きバネ３２が各部材３１３，３４間に張設されている。
【００３０】
ダンパー部材３３は、直動式ダンパーであり、引きバネ３２の付勢力に対して緩衝効果を付与するものである。このダンパー部材３３は、第２エッジブロック３１３とスライド部材３４の間に架設され、引きバネ３２の下方において該引きバネ３２と並列に配置されている。また、ダンパー部材３３は、エアダンパー、油圧ダンパー等のいずれのダンパーであってもよいが、本実施形態ではエアダンパーが採用されている。更に、ダンパー部材３３は、不図示の一方弁が内蔵された一方向性のダンパーであり、縮む場合、すなわち引戸Ｄが閉止方向に移動する場合に緩衝効果を付与するように構成されている。なお、ダンパー部材について、ロータリーダンパーを採用するものであってもよい。この場合の具体的構造についてはラック機構を用いるなど既に公知であるので、具体的説明は省略する。
【００３１】
スライド部材３４は、引きバネ３２およびダンパー部材３３のフリー端部が係止されるスライドブロック３４１と、スライドブロック３４１に軸支され垂直軸３４２ａ周りに回動する回動掛合片３４２とを備え、引戸Ｄの閉止位置に対応する初期位置（図５参照）と枠体３１の回動孔３１１ｂに対応する所定の保持位置（図６参照）との間を引戸Ｄの開閉操作に伴って枠体３１に対して相対的に移動するようになされている。
【００３２】
スライドブロック３４１は、左前方角部が切り欠かれた直方体状のブロック基体３４１ａと、このブロック基体３４１ａから前方に向かって突設された突出係合部３４１ｂとを備える。
【００３３】
ブロック基体３４１ａは、上下幅がガイドスリット３１１ａよりも大きく構成され、枠本体３１１内を摺動可能に構成されている。このブロック基体３４１ａの上記切欠き部に回動掛合片３４２が配置される。
【００３４】
また、突出係合部３４１ｂは、開放状態にある引戸Ｄの閉止操作時の移動速度が速い場合に受け部材５と係合し、ダンパー部材３３の緩衝効果によってその移動速度を減殺するものである。この突出係合部３４１ｂは、その上下幅がガイドスリット３１１ａよりも小さく構成され、スライドブロック３４１が枠本体３１１に内装された状態でガイドスリット３１１ａを通じて枠本体３１１から前方に突出するようになされている。
【００３５】
回動掛合片３４２は、引戸Ｄの開放動作に伴いスライド部材３４の初期位置から保持位置に至るまでの間、受け部材５（特に後述する受け突部５３）に係合し、スライド部材３４が保持位置に至ることによりこの回動孔３１１ｂを通じて枠体３１内に没入回動することにより受け部材５との係合状態が解除されるとともにスライド部材３４をその保持位置に停止保持するためのものである。また、回動掛合片３４２は、引戸Ｄの閉止動作に伴い受け部材５と再係合し、スライド部材３４の停止保持状態を解除するとともに受け部材５と協働して上記解除に伴い引きバネ３２の弾性力を引戸Ｄにスライドアシスト力として付与するように機能する。
【００３６】
この回動掛合片３４２は、平面視で左方に向かって先細りに形成された三角形状を呈する三角ブロック３４２ｂ（図９，１０参照）と、この三角ブロック３４２ｂの前面左半分の部分に固定された平面視で左方へ向かって先細りの舌片３４２ｃとを備えている。三角ブロック３４２ｂは、ブロック基体３４１ａの上記切欠き部に配置され、垂直軸３４２ａによってブロック基体３４１ａに軸支されている。
【００３７】
舌片３４２ｃは、受け部材５の受け突部５３に対して係脱する部材である。この舌片３４２ｃは、その上下幅がガイドスリット３１１ａの上下幅よりも大きく、かつ、回動孔３１１ｂの上下幅よりも小さく寸法設定されているとともに、左右寸法が回動孔３１１ｂの左右寸法よりも短く設定されている。この舌片３４２ｃの先端部（左端部）は回動掛合片３４２の後述する係合姿勢でガイドスリット３１１ａ内に突出する突出部分３４２ｄを有し、この突出部分３４２ｄが回動孔３１１ｂの端縁に係合することにより回動掛合片３４２に回動力を付与するようになされている。そして、舌片３４２ｃは、ガイドスリット３１１ａの範囲内にあるとき、図５に示すように、ガイドスリット３１１ａから前方に突出した状態にあり、この状態で受け突部５３に係合している。また、舌片３４２ｃは、回動掛合片３４２が回動孔３１１ｂに至ることにより、図６に示すように、回動孔３１１ｂを通じて垂直軸３４２ａを中心に時計方向に回動可能に構成され、この回動に伴い受け突部５３との係合状態が解除される。
【００３８】
次に、受け部材５について説明する。図７はスライドアシスト装置の受け部材を示す斜視図であり、図８は同受け部材を示す背面図である。
【００３９】
受け部材５は、戸枠Ｆに設けられ、引戸Ｄの移動範囲の所定の範囲（開閉途中位置から閉止位置までの範囲）で引戸Ｄの前方においてスライド部材３４に係脱することにより、スライド部材３４に対し付勢力を蓄積または開放させるものである。
【００４０】
この受け部材５は、戸枠Ｆの下面に取り付けられる規制プレート５１と、この規制プレート５１前端縁から垂下する垂下プレート５２と、この垂下プレート５２の後面（引戸側の面）に後方に突設された受け突部５３（受け部に相当）とを備え、全体として左右方向（引戸Ｄのスライド方向）に長尺に構成されるとともに正面視略Ｌ字状の合成樹脂の一体成形品として構成されている。なお、本実施形態では左右いずれの開き引戸Ｄにも対応可能で、かつ、引戸Ｄの閉止方向のスライドアシストだけでなく、引戸Ｄの開放方向のスライドアシストにも対応可能にするため、受け突部５３が左右一対設けられている。従って、本実施形態の受け部材５は、左右いずれの開き方向にも、また開閉いずれのスライドアシストにも対応可能な兼用品として構成されている。
【００４１】
規制プレート５１は、図３および図４に示すように、鴨居Ｆ１の下面であってその案内溝Ｆ３の前方に該案内溝Ｆ３に隣接して設けられている。この規制プレート５１は、引戸Ｄの前面上端部に係合して引戸Ｄの厚み方向（引戸のスライド方向に直交する水平方向）の移動を規制するものである。
【００４２】
規制プレート５１は、図３に示すように、左右方向に長尺の板状体であり、その下面の前後幅、具体的には垂下プレート５２の前面から後縁までの距離Ｔ０がスライド部材３４の枠体３１からの突出部分を含めた装置本体３の厚みＴ１よりも大きく設定されている。従って、規制プレート５１によって引戸Ｄがその厚み方向の移動が規制された状態では、スライド部材３４を含め装置本体３と垂下プレート５２が干渉しないようになされている。また、規制プレート５１は、図７および図８に示すように、引戸Ｄに係合する引戸Ｄ側の側面、すなわち後面５１１が平滑面として構成されている。従って、この規制プレート５１の後面５１１は、引戸Ｄの前面に略面接触するようになされている。
【００４３】
この規制プレート５１の後面５１１は、長手方向の所定位置から引戸Ｄの反アシスト方向（本実施形態では右方向）に向けて内側（前方）に傾斜するガイドテーパー面５１１ａとして構成されている。また、本実施形態では、このガイドテーパー面５１１ａが上記反アシスト方向の端部だけでなく、引戸Ｄのアシスト方向の端部にも設けられている。これは、上記のように受け部材５が兼用品として構成されているためであり、本実施形態のスライドアシスト装置１の設置状況においては、後面５１１の右端部に設けられたガイドテーパー面５１１ａだけで足りるものである。
【００４４】
このガイドテーパー面５１１ａは、図３および図４に二点鎖線で示すように、引戸Ｄのスライドに伴い引戸Ｄの左端（アシスト方向端縁）に係合して引戸Ｄの軌道を修正するものであり、平滑面として構成されている。このガイドテーパー面５１１ａにおける規制プレート５１の長手方向内側の各端縁は、対応する左右各受け突部５３に対して反アシスト方向に位置するように設定されている。本実施形態では、図３および図８に示すように、ガイドテーパー面５１１ａの長手方向内側の各端縁が各受け突部５３の外側縁（規制プレート５１の長手方向外側の縁部）に略一致するように構成されている。また、このガイドテーパー面５１１ａの長手方向各外側の各端縁は、前後方向について、規制プレート５１の後面から引戸Ｄの厚み方向の遊びに相当する距離Ｔ３だけ退入した位置に設定されている。
【００４５】
この規制プレート５１には、長手方向中央部および左右両端部に戸枠取付用の取付孔５１２が貫設されている。この取付孔５１２は、前後に細長く形成された底面視長円形の孔である。このように取付孔５１２が長円孔として構成されているので、戸枠取付用のねじに対してその締付け前に規制プレート５１を前後移動させることができ、これにより受け部材５の前後位置合わせを確実に行うことができる。
【００４６】
また、この規制プレート５１には、長手方向に沿って二個一組のプレート取着孔５１３，５１４が左右一対貫設され、本実施形態では計４個のプレート取着孔５１３，５１４が貫設されている。このプレート取着孔５１３，５１４は、隙間調整用プレート７を取り付けるための孔であり、左右一対設けられているのは上記したように兼用品であるためであり、本実施形態の設置状況ではプレート取着孔５１３だけで足りる。隙間調整用プレート７は、図２に示すように、装置本体３と規制プレート５１との間に上下隙間が存在する場合に、該隙間を埋めるために規制プレート５１に着脱自在に取り付けられるプレートであり、これにより引戸Ｄの閉止時の跳ね上がりを防止するためのものである。この隙間調整用プレート７の上面には、上記プレート取着孔５１３に嵌着される取付ボス７１が突設されている。なお、図示していないが隙間調整用プレート７には、取付ボスが嵌着される二個一組の嵌入孔を有し、他の隙間調整用プレートの取付ボス７１をこの嵌入孔に嵌着することにより積層し得るように構成されている。すなわち、この隙間調整用プレート７は、複数枚を積層し得るように構成されている。
【００４７】
なお、規制プレート５１の下面には複数の補強用溝５１５が前後幅方向の全域に亘って凹設されている。この補強用溝５１５は、後述する他の実施形態におけるＬ型アングル１９を用いる場合に、このＬ型アングル１９の突部に嵌合されるものである。そして、この嵌合により、受け部材５に作用する引戸Ｄのスライド方向の外力をＬ型アングル１９に分散伝達され、これにより両者５，１９の接合強度を向上させることができる。
【００４８】
一方、垂下プレート５２は、規制プレート５１よりも厚肉に構成された板状体である。この垂下プレート５２は、図３に明示するように、長手方向について少なくとも受け突部５３が突設された部分が中空に構成され、受け突部５３に前後方向に過度の外力が作用した場合に受け突部５３が前方に弾性変形するように構成されている。
【００４９】
受け突部５３は、引戸Ｄのスライドに伴い、スライド部材３４、特に回動掛合片３４２の舌片３４２ｃに係脱されるものである。この受け突部５３は、垂下プレート５２の後面に上下方向に延びる堤状に左右一対突設されている。受け突部５３の突出量は、スライド部材３４と係脱可能であれば特に限定するものではないが、本実施形態ではスライド部材３４の枠体３１からの突出量に対して略同等ないしは若干小さく設定されている。また、受け突部５３の上端左右両縁部は面取りされている。なお、受け突部５３が左右一対設けられているのは、上記のように兼用品であるためであり、本実施形態では右側に配置された受け突部５３だけで足りる。
【００５０】
以上のように構成されたスライドアシスト装置１は、例えば次のようにして戸枠Ｆの鴨居Ｆ１または引戸Ｄに取り付けられる。
【００５１】
まず、受け部材５を戸枠Ｆの鴨居Ｆ１の下面に取り付ける。
【００５２】
具体的には、受け部材５の長手方向一端縁を戸枠Ｆの一側部内面に当接させた状態で（図３参照）、垂下プレート５２を手前（前方）に配置させつつ規制プレート５１を鴨居Ｆ１の下面にあてがう。そして、この状態で図３に示すように、規制プレート５１の取付孔５１２を通じてねじＳで受け部材５を鴨居Ｆ１に仮止めを行う。
【００５３】
そして、引戸Ｄを閉止して厚み方向の遊びを略なくした状態（図４において戸首Ｄ１を鴨居Ｆ１の案内溝Ｆ３内の後側面に押し付けた状態）で、この引戸Ｄの上端側面に規制プレート５１の後面５１１を当接させ、この状態で上記ねじＳを締め付けることにより、受け部材５を鴨居Ｆ１に取り付ける。
【００５４】
次に、この受け部材５の受け突部５３に引戸Ｄの前方において係脱し得る態様で装置本体３を引戸Ｄの前面上端部に取り付ける。この際、規制プレート５１と戸本体Ｄ１の前面との間に若干隙間があってもよい。つまり、受け部材５の規制プレート５１と引戸Ｄとは常に係合している必要はない。
【００５５】
具体的には、左右方向について装置本体３の左側面が引戸Ｄの左側面と略面一になる状態であって、上下方向について規制プレート５１の厚みを考慮して戸本体Ｄ１の前面上端縁から僅かに下がった位置で、かつ、スライド部材３４と受け突部５３とが係合し得る位置に装置本体３を配置する。そして、この状態で、枠体３１のねじ孔３１２ａ，３１３ａを通して引戸Ｄにねじ（不図示）がねじ込むことにより、装置本体３を引戸Ｄの前面上端部に取り付ける。
【００５６】
このように、このスライドアシスト装置１によれば、引戸Ｄを戸枠Ｆから取り外さなくても取り付けることができ、また戸首Ｄ１の除去等も必要とせず、戸枠Ｆの鴨居Ｆ１の下面に受け部材５を、引戸Ｄの前面に装置本体３を取り付けるだけでよく、従来のスライドアシスト装置１に比べて簡易に後付けすることができる。
【００５７】
以上のように取り付けられたスライドアシスト装置１の作用について、図９および図１０を中心に説明する。図９は引戸Ｄを閉止された状態から開放する場合のスライドアシスト装置１の作用を説明するための平面視の一部断面図であり、図１０は引戸Ｄを開放した状態から閉止する場合の同装置１の作用を説明するための平面視の一部断面図である。
【００５８】
まず、閉止状態にある引戸Ｄを開放する場合の機能について説明する。
【００５９】
スライド部材３４は、引戸Ｄの閉止状態において、図５に示すように、初期位置にあり、ガイドスリット３１１ａの右端部に位置している。この引戸の閉止状態において、図９（Ａ）に示すように、スライド部材３４の回動掛合片３４２は、その舌片３４２ｃがガイドスリット３１１ａを通じて枠体３１から前方に突出した係合姿勢に設定されている。この係合姿勢では、舌片３４２ｃの右端面が受け部材５の受け突部５３の左側面に係合した状態になっている。
【００６０】
そして、この閉止状態から引戸Ｄを右方へ移動させて開放していくと、この開放に伴い装置本体３も右方へ移動するが、舌片３４２ｃが受け突部５３に係合しているため、スライド部材３４の移動が妨げられる。このため、スライド部材３４は、ガイドスリット３１１ａに沿って枠体３１に対して相対的に左方に移動する。このスライド部材３４の移動に伴い引きバネ３２が伸長し、これによりスライド部材３４に引きバネ３２の付勢力が蓄積される。
【００６１】
引戸Ｄを継続して開放していくと、引戸Ｄが所定の開閉途中位置に達し、このときスライド部材３４の舌片３４２ｃが回動孔３１１ｂに達する。この状態からさらに引戸Ｄが開放されると、舌片３４２ｃが受け突部５３によって左方へ向かって押圧され、舌片３４２ｃの先端突出部分３４２ｄが回動孔３１１ｂの左縁部に係合し、回動掛合片３４２が垂直軸３４２ａを中心に時計方向に回動する。これによって、図９（Ｂ）に示すように、回動掛合片３４２は、回動孔３１１ｂを通じて回動し、受け突部５３との係合状態が解除された解除姿勢へ姿勢変更する。
【００６２】
このとき、解除姿勢に姿勢変更された舌片３４２ｃは、引きバネ３２の付勢力で右方へ引っ張られ、舌片３４２ｃの右端面が回動孔３１１ｂの右端縁に係止する（図６参照）。これによって、スライド部材３４は、回動孔３１１ｂに対応する保持位置に停止保持されるとともに、回動掛合片３４２の三角ブロック３４２ｂの前方右端部がガイドスリット３１１ａを通じて枠体３１の前方に突出した状態に配置される。
【００６３】
次に、開放状態にある引戸Ｄを閉止する場合の機能について説明する。
【００６４】
全開状態の引戸Ｄを左方へ移動させて閉めていくと、引戸Ｄは上記開閉途中位置に達する。このとき、図１０（Ａ）に示すように、三角ブロック３４２ｂの前方右縁部が受け突部５３に干渉し、これによって回動掛合片３４２は、垂直軸３４２ａを中心に反時計方向に回動して、その舌片３４２ｃが、回動孔３１１ｂから抜け出し、当該舌片３４２ｃの右角部が回動孔３１１ｂの右縁部へ係止されていた状態が解消される。すなわち、回動掛合片３４２は、受け突部５３に対する解除姿勢から係合姿勢へと姿勢変更する（図１０（Ｂ））。
【００６５】
そして、この姿勢変更に伴い引きバネ３２の付勢力が開放されてスライド部材３４に作用し、スライド部材３４は、ダンパー部材３３によって一定の抵抗が付与されつつ、ガイドスリット３１１ａに沿って枠体３１に対して相対的に上記保持位置から初期位置に向かって移動する。このとき、スライド部材３４は受け部材５の受け突部５３に係合しているため、引きバネ３２の付勢力はスライドアシスト力として引戸Ｄの閉止方向に作用する。
【００６６】
なお、引戸Ｄの閉止速度が速い場合には、受け部材５の受け突部５３は三角ブロック３４２ｂに干渉した後、スライドブロック３４１の突出係合部３４１ｂに衝突し、ダンパー部材３３による抵抗が付与されて減速される。
【００６７】
ここで、本実施形態のスライドアシスト装置１は、上記したように、後付けを簡易にすべく、鴨居Ｆ１の下面に受け部材５を取り付けるとともに、引戸Ｄの前面に装置本体３を取り付け、受け部材５の受け突部５３と装置本体３のスライド部材３４とを引戸Ｄの前方において係合させるように構成されている。また、引戸Ｄについては、図４に明示されているように、戸枠Ｆに対し厚み方向に遊びを有する。従って、この遊びに基づき、装置本体３のスライド部材３４と、受け部材５の受け突部５３の係合が適正にできなかったり、装置本体３の枠体３１が受け突部５３に干渉したり、引戸Ｄに対して適正にスライドアシスト力を付与することができないことも想定される。
【００６８】
しかしながら、本実施形態のスライドアシスト装置１は、引戸Ｄの前面に係合して引戸Ｄの厚み方向の移動を規制する規制プレート５１を備えるので、この規制プレート５１によって引戸Ｄ、ひいてはこの引戸Ｄに突設されている枠体３１の厚み方向の遊び（場合によってはガタ）の範囲を規制して引戸Ｄの少なくともスライドアシスト範囲においては可及的に引戸Ｄの遊び（場合によってはガタ）を減少ないしは無くすことができる。また、受け突部５３が規制プレート５１と一体的に設けられているため、規制プレート５１と受け突部５３との位置関係を一定に保つことができ、しかも、上記のように引戸Ｄの遊びが減少されていることと相俟って、スライド部材３４と受け突部５３との確実な係合を確保することができるとともに、枠体３１と受け突部５３との干渉を確実に回避することができる。
【００６９】
すなわち、このスライドアシスト装置１によれば、適正に引戸Ｄのスライドをアシストできる。
【００７０】
上記のように規制プレート５１によって引戸Ｄの厚み方向の移動を規制するようにした場合、例えば引戸Ｄの軌道によっては、引戸Ｄのスライドに伴って規制プレート５１と引戸Ｄとの衝突が懸念されるが、本実施形態のスライドアシスト装置１によれば、規制プレート５１における引戸側の面が長手方向の所定位置から上記引戸の反アシスト方向に向けて内側に傾斜するガイドテーパー面５１１ａとして形成されているので、図３および図４に二点鎖線で明示するように、引戸Ｄをこのガイドテーパー面５１１ａに沿って軌道修正することができ、これにより規制プレート５１と引戸Ｄとの衝突を確実に防止することができる。
【００７１】
しかも、本実施形態のスライドアシスト装置１は、ガイドテーパー面５１１ａのアシスト方向の端縁は、規制プレート５１の長手方向について、受け突部５３に略一致して設けられているので、枠体３１が引戸Ｄに対してそのスライド方向先端面（左端面）同士を面一にする態様で配置された場合でも、確実に枠体３１と受け突部５３との干渉を防止することができる。
【００７２】
なお、以上に説明したスライドアシスト装置１は、本発明に係るアシスト装置の一実施形態であり、その具体的構成等は、本発明の趣旨を逸脱しない範囲で適宜変更可能である。以下、その変形例を説明する。
【００７３】
（１）上記実施形態では、非吊下式の引戸Ｄにスライドアシスト装置１を適用した場合について説明したが、図１１に示すように、吊下式の引戸Ｄ１０についても適用することができる。
【００７４】
この他の実施形態に係るスライドアシスト装置１は、上記実施形態における装置本体３および受け部材５の他に、受け部材５を戸枠Ｆ１０に取り付けるためのＬ型アングル１９も備えている。
【００７５】
すなわち、この吊下式の引戸Ｄ１０では、戸枠Ｆ１０の上部について受け部材５を取り付けるためのスペースがないことから、受け部材５を取り付けるためのＬ型アングル１９が用いられている。このＬ型アングル１９は、戸枠Ｆ１０の側面に重合される垂直片１９１と、この垂直片１９１の下端縁から水平に延びる水平片１９２とを有し、全体として受け部材５に対応して長尺に構成されている。
【００７６】
このＬ型アングル１９の垂直片１９１は、図示していないが長手方向に沿って複数のねじ孔を有し、このねじ孔を通じてねじが戸枠Ｆ１０にねじ込まれることにより、当該戸枠Ｆ１０に取り付けられる。
【００７７】
また、水平片１９２には、受け部材５における規制プレート５１の取付孔５１２に対応して受け部材５取付用のねじ孔が設けられているとともに、規制プレート５１の補強用溝５１５に対応して突部が設けられている。
【００７８】
このようにスライドアシスト装置１は、Ｌ型アングル１９を利用することにより、戸枠Ｆ１０に受け部材５の設置スペースがない場合でも簡易に取り付けることができる。
【００７９】
（２）上記実施形態では、受け部材５は、規制プレート５１と、垂下プレート５２と、受け突部５３とを備えて構成されているが、受け部材５の具体的構成はこれに限定されるものではない。例えば、垂下プレート５２を省略して、規制プレート５１の前端縁から受け突部５３を垂下させるように構成するものであってもよい。ただし、上記実施形態のように受け部材５が垂下プレート５２を備えて構成されれば、受け突部５３の強度を向上させることができ、これにより耐久性も向上させることができる。
【００８０】
（３）上記実施形態では、受け部材５がいわゆる兼用品として構成されているが、いわゆる左開き引戸、右開き引戸等、各引戸に対応するいわゆる専用品であってもよい。
【符号の説明】
【００８１】
Ｄ  引戸
Ｆ  戸枠
１  スライドアシスト装置
３  アシスト装置本体
３１  枠体
３２  引きバネ
３３  ダンパー部材
３４  スライド部材
５  受け部材
５１  規制プレート
５１１ａ  ガイドテーパー面
【図１】
0005399273.tif 000002
【図２】
0005399273.tif 000003
【図３】
0005399273.tif 000004
【図４】
0005399273.tif 000005
【図５】
0005399273.tif 000006
【図６】
0005399273.tif 000007
【図７】
0005399273.tif 000008
【図８】
0005399273.tif 000009
【図９】
0005399273.tif 000010
【図１０】
0005399273.tif 000011
【図１１】
0005399273.tif 000012